(57)【要約】      （修正有）【課題】へらフナ釣りの底釣りにおいて、フナを取り込む時の根がかりを回避することができる両針付きストッパーゴム付きハリスを提供する。【解決手段】１本のハリス４に任意の形状のストッパーゴム３を中通しして設け、ハリス４の両端に針５を結びつけた、両針付きストッパーゴム付きハリスを使用する。使用方法は、二股サルカン１の互いに向き合った輪２の間に任意の形状のストッパーゴム３を位置するようにし針５とハリス４を互いに向き合った輪２の内側から外側へ通し取り付ける。このように、二股サルカン１に両針付きストッパーゴム付きハリスを取り付けることにより、フナのかかっていない時はハリス４は任意の形状のストッパーゴム３に中通ししていることによって動きが仮止めされている状態となる。片方の針５にフナがかかった時は、フナのかかっていない針５は互いに向き合った輪２の片方まで引っ張られて移動し動きが止められることによって、根がかりを回避することができる。【選択図】図２
0003200415.tif 000002
【実用新案登録請求の範囲】
【請求項１】
１本のハリス（４）に任意の形状のストッパーゴム（３）を中通しして設け、ハリス（４）の両端に針（５）を結びつけたことを特徴とする両針付きストッパーゴム付きハリス。
【請求項２】
実願２０１５−００１１３９の二股サルカン（１）に請求項１の両針付きストッパーゴム付きハリスを取り付けたことを特徴とする両針付きストッパーゴム付きハリス。
【考案の詳細な説明】
【考案の開示】
【考案が解決しようとする課題】
【０００１】へらフナ釣りの底釣りにおいて、道糸を結んだ丸サルカンに針のついたハリスを２本結び付けた状態でおこなう底釣りは、フナがかかると、フナを取り込む時にフナが暴れることにより、フナのかかっていないフリーとなっている針は、水中の植物や枯れ枝などの障害物に根がかりを起こしフナの取り込みに大変苦労することがある。
また、これまでの仕掛けは、針のついたハリスを直接に丸サルカンに結び付けるため、フナのかかっていないフリーとなっている針の動きを止めることが課題であった。
【課題を解決するための手段】
【０００２】上記課題を解決するため、実願２０１５−００１１３９の二股サルカンに用いる針付きハリスは、丸サルカンの輪に直接ハリスを結びつけるのではなく、１本のハリスに任意の形状のストッパーゴムを中通しして設け、ハリスの両端に針を結びつけた両針付きストッパーゴム付きハリスを使用する。
使用方法は、向き合った二つの輪の間に任意の形状のストッパーゴムが位置するようにし針とハリスを輪の内側から外側へ通し取り付ける。
【考案の効果】
【０００３】実願２０１５−００１１３９の二股サルカンに用いる針付きハリスは、丸サルカンの輪に直接ハリスを結びつけるのではなく、１本のハリスに任意の形状のストッパーゴムを中通しして設け、ハリスの両端に針を結びつけた、両針付きストッパーゴム付きハリスを使用する。
使用方法は、互いに向き合った輪の間に任意の形状のストッパーゴムを位置するようにし針とハリスを互いに向き合った輪の内側から外側へ通し取り付ける。
このように、二股サルカンに両針付きストッパーゴム付きハリスを取り付けることにより、任意の形状のストッパーゴムは互いに向き合った輪に動を抑えられ、フナのかかっていない時はハリスは任意の形状のストッパーゴムに中通ししていることによって動きが仮止めされている状態となる。
片方の針にフナがかかった時は、ハリスはフナに引っ張られ任意の形状のストッパーゴムを通って移動し、フナのかかっていない針は互いに向き合った輪の片方まで引っ張られて移動し動きが止められることによって、根がかりを回避することができる。
また、互いに向き合った輪がぶら下がるように固定されていることによって任意の形状のストッパーゴムとハリスとが無理なく自然な状態で定位置に収まりやすくシンプルで機能的である。
フナを取り込んだ後に、任意の形状のストッパーゴムと針を元の定位置の状態に戻すことも簡単である。
【図面の簡単な説明】
【０００４】
【図１】両針付きストッパーゴム付きハリスの平面図である
【図２】二股サルカンに針とハリスと任意の形状のストッパーゴムを取り付けた斜視図である
【符号の説明】
【０００５】１  二股サルカン
２  互いに向き合った輪
３  ストッパーゴム
４  ハリス
５  針
【図１】
0003200415.tif 000003
【図２】
0003200415.tif 000004
【手続補正書】
【提出日】平成27年7月30日(2015.7.30)
【手続補正１】
【補正対象書類名】明細書
【補正対象項目名】０００２
【補正方法】変更
【補正の内容】
【０００２】上記課題を解決するため、左右対称の山形の天秤状の棒と、天秤状の棒の両端のそれぞれに設けられた、ハリスを通すための輪と、天秤状の棒の中央部に設けられた、道糸を結びつけるための輪とを有し、ハリスを通すための輪は互いに向き合い棒の両端にぶら下がるように固定して設けられていることを特徴とする二股サルカンに用いる針付きハリスは、ハリスを通すための互いに向き合った二つの輪に直接ハリスを結びつけるのではなく、任意の形状の中通しストッパーゴムに１本のハリスを中通ししハリスの両端に針を結びつけた両針付きストッパーゴム付きハリスを使用する。
使用方法は、互いに向き合った二つの輪の間に任意の形状のストッパーゴムが位置するようにし針とハリスを互いに向き合った輪の内側から外側へ通し取り付ける。
【手続補正２】
【補正対象書類名】明細書
【補正対象項目名】０００３
【補正方法】変更
【補正の内容】
【０００３】左右対称の山形の天秤状の棒と、天秤状の棒の両端のそれぞれに設けられた、ハリスを通すための輪と、天秤状の棒の中央部に設けられた、道糸を結びつけるための輪とを有し、ハリスを通すための輪は互いに向き合い棒の両端にぶら下がるように固定して設けられていることを特徴とする二股サルカンに用いる針付きハリスは、ハリスを通すための互いに向き合った二つ輪に直接ハリスを結びつけるのではなく、任意の形状の中通しストッパーゴムに１本のハリスを中通ししハリスの両端に針を結びつけた、両針付きストッパーゴム付きハリスを使用する。
使用方法は、互いに向き合った二つの輪の間に任意の形状のストッパーゴムを位置するようにし針とハリスを互いに向き合った二つの輪の内側から外側へ通し取り付ける。
このように、二股サルカンに両針付きストッパーゴム付きハリスを取り付けることにより、任意の形状のストッパーゴムは互いに向き合った二つの輪に動を抑えられ、フナのかかっていない時はハリスは任意の形状のストッパーゴムに中通ししていることによって動きが仮止めされている状態となる。
片方の針にフナがかかった時は、ハリスはフナに引っ張られ任意の形状のストッパーゴムを通って移動し、フナのかかっていない針は互いに向き合った二つの輪の片方まで引っ張られて移動し動きが止められることによって、根がかりを回避することができる。
また、互いに向き合った二つの輪がぶら下がるように固定されていることによって任意の形状のストッパーゴムとハリスとが無理なく自然な状態で定位置に収まりやすくシンプルで機能的である。
フナを取り込んだ後に、任意の形状のストッパーゴムと針を元の定位置の状態に戻すことも簡単である。
【手続補正３】
【補正対象書類名】実用新案登録請求の範囲
【補正対象項目名】全文
【補正方法】変更
【補正の内容】
【実用新案登録請求の範囲】
【請求項１】
任意の形状の中通しストッパーゴム（３）に１本のハリス（４）を中通しし、ハリス（４）の両端に針（５）を結びつけたことを特徴とする両針付きストッパーゴム付きハリス。
【請求項２】
左右対称の山形の天秤状の棒と、天秤状の棒の両端のそれぞれに設けられた、ハリス（４）を通すための輪（２）と、天秤状の棒の中央部に設けられた、道糸を結びつけるための輪とを有し、ハリス（４）を通すための輪（２）は互いに向き合い棒の両端にぶら下がるように固定して設けられていることを特徴とする二股サルカン（１）に、請求項１の両針付きストッパーゴム付きハリスを取り付けたことを特徴とする両針付きストッパーゴム付きハリス。